(57)【要約】【課題】発見的創造力を、より汎用性の高い方法により測定する。【解決手段】一定の初期リズムを予め設定した時間、連続的に被験者に与えるリズム付与手段１と、前記設定時間経過後リズムのない状態において前記初期リズムに合わせるべく前記被験者が身体を動かして生成する生成リズムを検出する被験者リズム検出手段３と、前記被験者リズム検出手段から検出される被験者の生成リズムと前記初期リズムとの違いを、当該被験者の発見的創造力を評価すべく算出する算出手段４とを備えていることを特徴とする発見的創造力測定装置Ｅを用意する。【選択図】図３
2004057724.tif 000002
【特許請求の範囲】
【請求項１】
一定の初期リズムを予め設定した時間、連続的に被験者に与えるリズム付与手段と、前記設定時間経過後リズムのない状態において前記初期リズムに合わせるべく前記被験者が身体を動かして生成する生成リズムを検出する被験者リズム検出手段と、前記被験者リズム検出手段から検出される被験者の生成リズムと前記初期リズムとの違いを、当該被験者の発見的創造力を評価すべく算出する算出手段とを備えていることを特徴とする発見的創造力測定装置。
【請求項２】
前記比較算出手段で算出した被験者の生成リズムと前記初期リズムとの違いをパラメータとして当該被験者の発見的創造力の評価値を算出する評価手段をさらに備えていることを特徴とする請求項１記載の発見的創造力測定装置。
【請求項３】
被験者が被験した時期及び被験状況を示す被験データを、その被験者を識別するための被験者識別子と関連付けて蓄積する被験データ蓄積手段を更に備えている請求項１又は２記載の発見的創造力測定装置。
【請求項４】
一定の初期リズムを予め設定した時間連続的に被験者に与えた後、その初期リズムを取り去った状態で、所定時間当該被験者に前記初期リズムを維持させながら身体の一部又は全部を動かす動作をさせ、その動きにより生成された生成リズムを検出して、前記初期リズムとの違いを比較算出し、その算出結果から当該被験者の発見的創造力を評価するようにしたことを特徴とする発見的創造力測定方法。
【発明の詳細な説明】
【０００１】
【発明の属する技術分野】
本発明は、リズム付与手段を用いた発見的創造力測定装置及び発見的創造力測定方法に関する。
【０００２】
【従来の技術】
個人の創造性の１つの側面として、物の新しい見方を発見する能力である発見的創造力がある。この能力は例えば「隠し絵」の知覚速度で評価できると考えられている。「隠し絵」とは、一見無意味な模様にしか見えない視覚的パターンだが、そこには例えば人間の顔のような明確な対象が隠されているようなものである。隠された対象に気が付くためにはパターン同士の意味のある関係付けを発見しなければならないから、その迅速さを計れば発見的創造性の評価ができる。
【０００３】
【発明が解決しようとする課題】
しかし、「隠し絵」を用いた実験は、一度答が知られてしまった刺激は使用できなくなるので汎用性がなく計測も難しい。
【０００４】
本発明は、手の指で一定のリズムをとるタッピングリズムの計測を用いて、個人における発見的創造性を簡便に評価する方法を与えるものである。被験者は、最初２０秒間、１ヘルツで点滅する参照光を観察し、引き続く６分間、参照光なしで指でタップする（軽くたたく）ことによってそのリズムを維持しようと努める。すると、その被験者の内的固有リズムにしたがって、タッピングリズムは次第に１ヘルツよりも速まったり遅くなったりする。私達は、タッピングリズムが次第に遅くなる個人ほど「隠し絵」の発見速度も高いという相関があることを示す基礎データを得ている。本発明は、この基礎データに基づき、６分間程度のリズムタッピングの遅延を測定するという極めて簡便な方法により、その個人の発見的創造性を評価するものである。
【０００５】
【課題を解決するための手段】
すなわち本発明に係る発見的創造力測定装置は、一定の初期リズムを予め設定した時間、連続的に被験者に与えるリズム付与手段と、前記設定時間経過後リズムのない状態において前記初期リズムに合わせるべく前記被験者が身体を動かして生成する生成リズムを検出する被験者リズム検出手段と、前記被験者リズム検出手段から検出される被験者の生成リズムと前記初期リズムとの違いを、当該被験者の発見的創造力を評価すべく算出する算出手段とを備えていることを特徴とする。
【０００６】
このようなものであれば、被験者の生成リズムと前記初期リズムとの違いを算出することにより、当該被験者の発見的創造力を容易に測定することができるようになる。また、同一の初期リズムを繰り返し使用して測定を行うことができるようになるので、より汎用性の高い測定を行うことができ、さらに同一被験者の発見的創造力の計時変化を評価することもできるようになる。
【０００７】
このような発見的創造力の評価を自動的に行うようにするための態様としては、前記比較算出手段で算出した被験者の生成リズムと前記初期リズムとの違いをパラメータとして当該被験者の発見的創造力の評価値を算出する評価手段をさらに備えているものが挙げられる。ここで、評価値とは、被験者の生成リズムと前記初期リズムとの比そのものや、その平均値からの差を示す値、同じくその平均値からの差を示す段階等を含む概念である。
【０００８】
被験者の発見的創造力の経時的変化をも判断できるようにすることを具体的に実現するには、被験者が被験した時期及び被験状況を示す被験データを、その被験者を識別するための被験者識別子と関連付けて蓄積する被験データ蓄積部を更に備えればよい。このようなものであれば、同一の被験者識別子と関連付けられた被験データを検索して取り出し、被験データに含まれる被験者が被験した時期とその時期の切り替わり状況との相関を調べることにより被験者の発見的創造力の経時的変化をも判断できるようになる。
【０００９】
発見的創造力を測定する方法としては、一定の初期リズムを予め設定した時間連続的に被験者に与えた後、その初期リズムを取り去った状態で、所定時間当該被験者に身体の一部又は全部を前記初期リズムに合わせるべく動かさせ、その動きにより生成された生成リズムを検出して、前記初期リズムとの違いを比較算出し、その算出結果から当該被験者の発見的創造力を評価するようにしたことを特徴とするものが挙げられる。
【００１０】
【発明の実施の形態】
以下に本発明の第１実施形態について述べる。
【００１１】
本実施形態に係る発見的創造力測定装置Ｅは、図１に概略図、図２に機器構成図をそれぞれ示すように、本体Ｅ１と、生成リズム入力装置Ｅ２と、文字入力装置Ｅ３（図１では省略）と、参照光出力装置Ｅ４と、画面出力装置Ｅ５（図１では省略）とを具備する。前記本体は、図２に示すように、少なくともＣＰＵＥ１１、内部メモリＥ１２、外部記憶装置Ｅ１３、計時装置Ｅ１４、及び入出力インタフェースＥ１５を有する。前記生成リズム入力装置Ｅ２は、ボタンを備えていて、生成リズム信号の入力を受け付ける。前記参照光出力装置Ｅ４は、一定間隔、本実施形態では１秒間隔で参照光を所定時間、本実施形態では２０秒間点滅させ、この参照光の点滅間隔に合わせた生成リズムを発生させるようにしている。これらは、前記内部メモリＥ１２又は前記外部記憶装置Ｅ１３に格納されたプログラムを前記ＣＰＵＥ１１が実行することにより、機能ブロック図を図３に示すように、少なくともリズム付与手段たるリズム付与手段１、被験者識別子入力手段２、被験者リズム検出手段３、計時手段４、算出手段５、評価手段６、被験データ蓄積手段７、及び結果出力手段８として機能するようにしている。
【００１２】
リズム付与手段１は、前記計時装置Ｅ１４及び参照光出力装置Ｅ４を用いて構成していて、測定の初期段階において、一定間隔、本実施形態では１秒間隔で参照光を点滅させ、被験者に初期リズムを与えるようにしている。
【００１３】
被験者識別子入力手段２は、前記文字入力装置Ｅ３を用いて構成していて、被験者の氏名、生年月日等を含むデータである被験者識別子、及び被験者の年齢を示す被験者年齢情報の入力を受け付ける。
【００１４】
被験者リズム検出手段３は、前記生成リズム入力装置Ｅ２を用いて構成していて、被験者内部における生成リズムを、被験者によるボタン入力を受け付ける等して検出し、生成リズム信号を出力する。
【００１５】
計時手段４は、前記計時装置Ｅ１４を用いて構成していて、測定開始からの時間を計測し、測定開始から予め定めた所定時間が経過した時点で初期リズム終了信号、生成リズム検出開始信号、及び測定終了信号を発信する。
【００１６】
算出手段５は、当該被験者の発見的創造力を評価すべく生成リズム信号の発信間隔を算出する手段であり、具体的には前記計時手段４から生成リズム検出開始信号を受信してから同じく前記計時手段４から測定終了信号を受信するまでの間、前記被験者リズム検出手段３から出力される生成リズム信号を受信するごとに受信した時刻を記録するとともに、測定終了信号を受信した後、生成リズム信号の受信時刻間の間隔の平均、すなわち生成リズムの周期を算出して、この受信時刻間の間隔の平均を生成リズム情報として出力する。なお、本実施形態では、初期リズムの周期は１秒としているので、秒単位で表した生成リズムの周期が、そのまま生成リズムの周期と初期リズムの周期との比である。
【００１７】
評価手段６は、前記算出手段５で算出した生成リズム情報をパラメータとして当該被験者の発見的創造力の評価値を算出する。具体的には、例えば生成リズム情報として示される生成リズム信号間隔の平均値及び標準偏差を算出するとともに、前記被験者の生成リズム信号間隔と前記平均値の差を前記標準偏差で規格化した評価値を算出している。
【００１８】
被験データ蓄積手段７は、外部記憶装置Ｅ１３の所定エリアを用いて構成していて、被験者が被験した時期及び被験状況を示す被験データを、その被験者を識別するための被験者識別子と関連付けて、図４に示すように蓄積する。ここで、前記被験データは、具体的には図５に示すように、前記被験者年齢情報及び発見的創造力の測定結果である前記評価値を含むものである。
【００１９】
結果出力手段８は、画面出力装置Ｅ５を用いて構成していて、被験者識別子と被験者識別子に対応する評価値とを対応付けて出力する。なお、画面出力装置Ｅ５に替えて、プリンタ等、他の出力手段を用いるようにしてもよい。
【００２０】
この発見的創造力測定装置Ｅを用いる被験者の発見的創造力の評価は、以下のようにして行う。
【００２１】
まず、被験者に、参照光出力装置Ｅ４から出力される参照光の点滅に合わせて所定の測定時間、本実施形態では６分間より短い所定時間、本実施形態では２０秒間生成リズム入力装置Ｅ２のボタンを指等で軽く叩かせる。すなわち、この間、被験者は１秒間隔で生成リズム入力装置Ｅ２のボタンを叩いている。次に、参照光の点灯が終了してから前記測定時間の終了までの間、なるべく１秒間隔を保つよう意識させつつ、引き続き前記生成リズム入力装置Ｅ２のボタンを指等で軽く叩く操作を続けさせる。
【００２２】
以下に、この発見的創造力測定装置Ｅを用いて被験者の発見的創造力を評価する際の発見的創造力測定装置Ｅが行う処理の流れを図６及び図７を参照して述べる。
【００２３】
まず、被験者識別子及び被験者年齢情報を入力する（被験者識別子入力ステップ）（Ｓ１）。次に、経過時間を０にリセットする（Ｓ２）。それから、測定時間の計時を開始し（Ｓ３）、初期リズムを付与する参照光を点滅させる（Ｓ４）。それから、リズム付与手段１が初期リズム終了信号を受信したか否かを判定し（Ｓ５）、初期リズム終了信号を受信した時点で参照光の点滅を終了させる（Ｓ６）。その後、算出手段５が生成リズム検出開始信号を受信したか否かを判定しつつ待機する（Ｓ７）。なお、この生成リズム検出開始信号は、前記初期リズムの出力が終了した後の所定時刻、本実施形態では測定開始から５分後に出力するようにしている。前記生成リズム検出開始信号を受信した時点から、生成リズム信号を受け付けたか否かを判定し（Ｓ８）、入力を受け付けた際には経過時刻を取得して記録する（Ｓ９）。そして、測定終了信号を受信したか否かを判定し（Ｓ１０）、所定時間が経過していない場合には入力受付判定ステップに戻る。所定時間が経過した場合には、測定時間の計時を終了し、記録された時刻間の間隔である生成リズム周期を算出して（Ｓ１１）、被験者識別子と関連付けて被験データ蓄積手段８に格納する（Ｓ１２）。さらに、次の被験者がいるか否かの入力を受け付ける（Ｓ１３）。ここまでの流れを図６に示す。次の被験者がいる場合には、被験者識別子入力ステップに戻る。いない場合には、図７に示すように、生成リズム周期の平均及び標準偏差を求める（Ｓ１４）。そして、各被験者について、生成リズム周期の平均との差を標準偏差により規格化して評価値を求める（評価値計算ステップ）（Ｓ１５）。それから、求めた評価値及び被験者年齢情報を含む被験データを被験データ蓄積手段８に格納する（Ｓ１６）。そして、格納した被験データが最後のものであるか否かを調べ（Ｓ１７）、最後のものでない、すなわち評価値の算出が残っている場合には、評価値計算ステップに戻り、次の被験者について評価値を算出する。最後のものであれば、被験者識別子と被験者識別子に対応する評価値とを関連付けて出力する（Ｓ１８）。出力結果の一例を図８に示す。
【００２４】
このように構成しているので、生成リズム周期を測定することにより、発見的創造力をより正確に測定できるとともに、同一の生成リズム周期測定を繰り返して行うことができるので、より汎用性の高い方法で測定することができる。
【００２５】
また、生成リズム情報をパラメータとして評価値を算出するようにしているので、自動的に発見的創造力の評価を行うことができる。
【００２６】
次に、本実施形態の第２実施形態について述べる。
【００２７】
本実施形態では、第１実施形態と同様に構成した発見的創造力測定装置Ｅを用いる。
【００２８】
発見的創造力測定装置Ｅの各部の構成については、第１実施形態と同様であるので、詳細な説明は省略する。そして、前記内部メモリＥ１２又は前記外部記憶装置Ｅ１３に格納されたプログラムを前記ＣＰＵＥ１１が実行することにより、機能ブロック図を図９に示すように、少なくともリズム付与手段１、被験者識別子入力手段２、被験者リズム検出手段３、計時手段４、算出手段５、評価手段６、被験データ蓄積手段７、結果出力手段８、及び被験データ検索手段９として機能するようにしている。
【００２９】
リズム付与手段１、被験者識別子入力手段２、被験者リズム検出手段３、計時手段４、算出手段５、評価手段６、被験データ蓄積手段７、及び結果出力手段８は、第１実施形態と同様の機能を有するので、これらの機能についての詳細な説明は省略する。ただし、本実施形態では被験データ蓄積手段７に既にデータが蓄積されている。
【００３０】
被験データ検索手段９は、被験者識別子をキーとして、同一の被験者識別子と対応付けられた被験データ及び評価値を取得する。
【００３１】
本実施形態における発見的創造力の評価の手順は、上述した第１実施形態と同様であるので、詳細な説明は省略する。
【００３２】
以下に、発見的創造力測定装置Ｅを用いて個人の発見的創造力の計時変化を評価する際の発見的創造力測定装置Ｅが行う処理の流れを図１０及び図１１を参照して述べる。
【００３３】
まず、被験者識別子及び被験者年齢情報を入力する（被験者識別子入力ステップ）（Ｓ１）。次に、経過時間を０にリセットする（Ｓ２）。それから、測定時間の計時を開始し（Ｓ３）、初期リズムを付与する参照光を点滅させる（Ｓ４）。それから、リズム付与手段１が初期リズム終了信号を受信したか否かを判定し（Ｓ５）、初期リズム終了信号を受信した時点で参照光の点滅を終了させる（Ｓ６）。その後、算出手段５が生成リズム検出開始信号を受信したか否かを判定しつつ待機する（Ｓ７）。なお、この生成リズム検出開始信号は、前記初期リズムの出力が終了した後の所定時刻、本実施形態では測定開始から５分後に出力するようにしている。前記生成リズム検出開始信号を受信した時点から、生成リズム信号を受け付けたか否かを判定し（Ｓ８）、入力を受け付けた際には経過時刻を取得して記録する（Ｓ９）。そして、測定終了信号を受信したか否かを判定し（Ｓ１０）、所定時間が経過していない場合には入力受付判定ステップに戻る。所定時間が経過した場合には、測定時間の計時を終了し、記録された時刻間の間隔である生成リズム周期を算出して（Ｓ１１）、被験者識別子と関連付けて被験データ蓄積手段８に格納する（Ｓ１２）。ここまでの流れを図１０に示す。そして、図１１に示すように、生成リズム信号入力間隔の平均及び標準偏差を求め、さらに生成リズム信号入力間隔の平均との差を標準偏差により規格化して評価値を求める（Ｓ２１）。それから、算出した評価値と前記被験者年齢情報とを含む被験データを前記被験者識別子と組にして被験データ蓄積手段８に格納する（Ｓ２２）。そして、被験データ検索手段Ｓが、被験データ蓄積手段８から、前記被験者識別子と対応付けられた被験者データ及び評価値を検索して取得し（Ｓ２３）、先に求めた評価値とともに一覧として出力する（Ｓ２４）。出力結果の一例を図１２に示す。
【００３４】
このように構成しているので、同一の被験者に対して、発見的創造力の計時変化を評価することができ、その他第１実施形態で述べた効果もすべて得ることができる。
【００３５】
なお、本発明は以上に述べた実施形態に限られない。
【００３６】
例えば、各被験者の生成リズム周期の平均値のみを記録するのでなく、生成リズム周期の標準偏差をも求めておくと、各被験者の生成リズムの揺らぎを評価しやすくなる。また、初期リズムの周期は１秒である必要はなく、任意に設定してもよいし、測定時間もまた任意に設定してよい。さらに、初期リズムを付与する時間、及び測定開始から生成リズムの検出を開始するまでの時間は、いずれも測定時間未満の範囲で任意に設定してよい。加えて、初期リズムの付与は、上述した実施形態で述べたような参照光に限らず、例えば参照音を一定間隔で出力する等して行うようにしてもよい。
【００３７】
また、評価値を数値としてそのまま示すのでなく、例えば切り替わり速度が平均値と標準偏差との差を上回れば「＋」、平均値から標準偏差を差し引いたものを更に下回れば「−」、これらのうちのどちらにも該当しない場合には「０」の３段階で評価する等、離散的な段階を評価値として使用するようにしてもよい。
【００３８】
そして、被験者識別子が被験者の生年月日を含むものであれば、測定を行う時点での日時を示す現在日時情報を取得する現在日時情報取得手段と、現在日時情報取得手段が取得した現在日時情報と被験者識別子中の生年月日とから被験者年齢情報を自動的に生成する被験者年齢情報生成手段とをさらに設けるようにしてもよい。
【００３９】
加えて、被験データ格納手段は本体と別体に構成し、本体と互いに通信インタフェースを介して接続されたサーバ装置に設けるとともに、本体は１人の被験者に対する測定を終えるごとに被験者識別子、被験者年齢情報、及び切り替わり回数情報を前記サーバ装置に送信し、評価値の算出をサーバ装置において行うように構成するとよい。この場合、本体、生成リズム入力装置、文字入力装置、参照光出力装置を有する発見的創造力測定装置と、前記サーバ装置とを具備する発見的創造力測定システムを用いて発見的創造力の測定を行うことになる。
【００４０】
その他、本発明の趣旨を損ねない範囲で種々に変形してよい。
【００４１】
【発明の効果】
本発明は、生成リズム周期と初期リズムの周期との比を算出することにより、物の新しい見方を発見する能力である発見的創造力の評価を容易に行うことができるとともに、同一の生成リズム周期測定試験を繰り返し使用できるので、より汎用性のある測定を行うことができ、さらに同一被験者の発見的創造力の計時変化も評価できる。
【図面の簡単な説明】
【図１】本発明の第１実施形態に係る発見的創造力測定装置の概略図。
【図２】同実施形態に係る発見的創造力測定装置の機器構成図。
【図３】同実施形態に係る発見的創造力測定装置の機能ブロック図。
【図４】同実施形態に係る発見的創造力測定装置が使用する被験者識別子、被験データ、及び評価値の格納態様を示す図。
【図５】同実施形態に係る発見的創造力測定装置が使用する被験データの一例を示す図。
【図６】同実施形態に係る発見的創造力測定装置が行う生成リズムの測定の流れを示すフローチャート。
【図７】同実施形態に係る発見的創造力測定装置が行う評価値の算出の流れを示すフローチャート。
【図８】同実施形態に係る発見的創造力測定装置による算出結果の出力の一例を示す図。
【図９】本発明の第２実施形態に係る発見的創造力測定装置の機能ブロック図。
【図１０】同実施形態に係る発見的創造力測定装置が行う生成リズムの測定の流れを示すフローチャート。
【図１１】同実施形態に係る発見的創造力測定装置が行う評価値の算出の流れを示すフローチャート。
【図１２】同実施形態に係る発見的創造力測定装置による算出結果の出力の一例を示す図。
【符号の説明】
Ｅ…発見的創造力測定装置
１…リズム付与手段
３…生成リズム検出手段
４…算出手段
６…評価手段
７…被験データ蓄積手段
【図１】
2004057724.tif 000003
【図２】
2004057724.tif 000004
【図３】
2004057724.tif 000005
【図４】
2004057724.tif 000006
【図５】
2004057724.tif 000007
【図６】
2004057724.tif 000008
【図７】
2004057724.tif 000009
【図８】
2004057724.tif 000010
【図９】
2004057724.tif 000011
【図１０】
2004057724.tif 000012
【図１１】
2004057724.tif 000013
【図１２】
2004057724.tif 000014